(57)【要約】【課題】遊技領域の拡大にともない遊技機前面より視認可能な演出領域を拡大して演出効果を高めるとともに、前面枠の窓部を塞ぐ透明板の隙間を利用した不正行為を防止した遊技機を提供する。【解決手段】前面枠５の背面側に組み付けられ、窓部１０に連続して延出部１７ａと重なり合う前面枠透明部１８が前面側に設けられ、前面枠透明部１８並びにこれと重なり合う延出部１７ａを通じて当該延出部１７ａの後方側に設けられた後方側演出部９が視認可能に設けられている。【選択図】図１
2010099190.tif 000002
【特許請求の範囲】
【請求項１】
内枠に保持される遊技盤と、その遊技盤上に形成された遊技領域を前方から窓部を通じて視認可能とする前面枠を前記内枠に対して開閉可能に備えた遊技機であって、
前記窓部を覆うとともに当該窓部の外側であって前記前面枠の外形をなすいずれかの外縁部まで延出した延出部が形成された透明板が、前記前面枠の背面側に組み付けられ、前記窓部に連続して前記延出部と重なり合う前面枠透明部が前面側に設けられ、前記前面枠透明部並びにこれと重なり合う延出部を通じて当該延出部の後方側に設けられた後方側演出部が視認可能に設けられていることを特徴とする遊技機。
【請求項２】
前記前面枠には、前記延出部の前方側に前方側演出部が設けられており、前記前面枠透明部を通じて前方側演出部が視認可能に設けられている請求項１記載の遊技機。
【請求項３】
前記前方側演出部と後方側演出部が一体的に関連付けられた演出として設けられている請求項１又は２記載の遊技機。
【発明の詳細な説明】
【技術分野】
【０００１】
本発明は遊技機に関する。
【背景技術】
【０００２】
パチンコ機などの遊技機には、外枠に対して開閉可能な内枠に遊技盤が着脱可能に組み付けられている。遊技盤には、遊技領域を形成する遊技盤レール（内外レール）が設けられており、その遊技領域には図柄表示装置（液晶表示装置）、遊技釘、入賞口、大入賞口、電動チューリップなどの盤面部品やアウト口などが設けられている。
【０００３】
また、内枠には遊技領域を視認可能な窓部を有する前面枠が開閉可能に設けられている。前面枠の前面側には窓部の周囲に装飾部が設けられている。前面枠の背面側には、遊技盤に向けて磁石等を使用する不正行為や熱による孔開けにより異物を挿入する等の不正行為を防ぐため、透明板（ガラス板等）による２重構造の複層透明板が窓部を塞いで当該窓部周辺部に組み付けられている。例えば、複層ガラスを有するガラスユニットが前面枠の背面側に開閉可能に組み付けられるようになっている（特許文献１参照）。
【０００４】
また、遊技機においては遊技盤上に形成される遊技領域に可動体や装飾物が設けられて演出効果を高める工夫がなされており、前面枠の窓部の周囲には装飾領域として利用されている。近年、遊技領域の拡大にともない前面枠の窓部の周囲に利用できる装飾領域が狭く、演出効果を高めるための様々な工夫がなされている。例えば、前面枠の窓部の周囲を前方に張り出させて張り出し空間部を形成し、透明な表示装置を設けて画像を表示させるとともに、内部に設けたハーフミラーを通じて光源により可動体を発光表示させて演出効果を高める工夫もされている（特許文献２参照）。
【特許文献１】特開２００３−２８４８５０号公報
【特許文献２】特開２００６−２５５１４９号公報
【発明の開示】
【発明が解決しようとする課題】
【０００５】
上述した遊技機は、複層ガラスと前面枠との組み付け構造（固定部分）を、遊技機前面より隠すため、目隠し用の装飾領域が設けられている。例えば、窓部の外周側に不透明樹脂を用いた装飾部材が設けられたり、前面枠に目隠し用めっき加工が施されたり、シールが貼付けられたりしている。この目隠し用の装飾領域により遊技盤の遊技領域に設けられた装飾体の形態と前面枠に設けられた装飾体の形態が分断されるため、一体感のある装飾が行えず、演出効果も限られたものとなり、遊技者の興趣が薄れるという課題がある。特に、近年の遊技機の遊技領域の拡大に対して遊技機外形は限られているため、少ない装飾領域であっても演出領域を広く確保して演出効果を高めたいというニーズがある。
【０００６】
また、前面枠の背面側に窓部を塞ぐ複層ガラスが設けられているが、複層ガラスと周囲の装飾部との隙間から針金などの異物を挿入される不正行為がなされるおそれがある。
【０００７】
本発明の目的は、上記従来技術の課題を解決し、遊技領域の拡大にともない遊技機前面より視認可能な演出領域を拡大して演出効果を高めるとともに、前面枠の窓部を塞ぐ透明板の隙間を利用した不正行為を防止した遊技機を提供することにある。
【課題を解決するための手段】
【０００８】
本発明は上記目的を達成するため、次の構成を備えることを特徴とする。
内枠に保持される遊技盤と、その遊技盤上に形成された遊技領域を前方から窓部を通じて視認可能とする前面枠を前記内枠に対して開閉可能に備えた遊技機であって、前記窓部を覆うとともに当該窓部の外側であって前記前面枠の外形をなすいずれかの外縁部まで延出した延出部が形成された透明板が、前記前面枠の背面側に組み付けられ、前記窓部に連続して前記延出部と重なり合う前面枠透明部が前面側に設けられ、前記前面枠透明部並びにこれと重なり合う延出部を通じて当該延出部の後方側に設けられた後方側演出部が視認可能に設けられていることを特徴とする。
ここでいう「後方側演出部」には、遊技盤に描画又はシール等により貼着される図柄・装飾模様、ＬＥＤ等の発光体、キャラクター等の立体装飾、モータ等により可動する可動体等を含むものとする。
【０００９】
また、前記前面枠には、前記延出部の前方側に前方側演出部が設けられており、前記前面枠透明部を通じて前方側演出部が視認可能に設けられていることを特徴とする。
【００１０】
また、前記前方側演出部と後方側演出部が一体的に関連付けられた演出として設けられていることを特徴とする。
【発明の効果】
【００１１】
上述した遊技機を用いれば、窓部を覆うとともに当該窓部の周囲に設けられた窓部の外側であって前面枠のいずれかの外縁部に至る領域を覆う透明板が、前面枠の背面側に組み付けられている。このような構成にすれば、前面枠の補強部材として不透明な板金のかわりに透明板を配置するので、透明板背面側が視認可能となり、後方側演出部を設けることができる。よって、遊技者に奥行きのある演出を視認させることができ、演出効果を高めることができる。
【００１２】
また、延出部が前面枠の外形をなす外縁部まで延出されているので、透明板の前面枠に対する固定部は、前面枠のいずれかの外縁部近傍となる。したがって、窓部を塞ぐ透明板の隙間を利用した不正行為を行い難くなる。
また、透明板の延出部が形成されている箇所には、補強部材である板金は不要になり、前面枠を軽量化でき、装置の耐久性も向上する。
また、前面枠の透明板固定部に施していた目隠し部（めっき加工、シール）が不要になるため、製造工程も簡略化できる。
【００１３】
また、透明板は透明複層板が望ましい。透明複層板にすることで、後方側演出部の視認性を妨げることなく、前面枠の強度を増すことができ、補強部材である板金の代役を果たすことができる。また、熱等による前面枠に穴をあけるような不正行為に対しても複層板にすることで不正を行い難くなり、不正行為を未然に防止することができる。また、透明複層板は、ガラス板や透明樹脂板等で形成されるが、前面側（遊技者側）にあたる透明板は、ガラス板が好ましい。ガラス板を使用することで、さらに強度が増し、かつ熱等の不正を防止する効果が向上する。
【００１４】
また、窓部に連続して延出部と重なり合う前面枠透明部が前面側に設けられ、前面枠透明部並びにこれと重なり合う延出部を通じて当該延出部の後方側に設けられた後方側演出部が視認可能に設けられている。よって、遊技領域の拡大にともなって透明板の後方に設けられる後方側演出部の演出領域も窓部より外側に拡大し、この窓部より外側に拡大した後方側演出部を前面枠透明部並びにこれと重なり合う延出部を通じて視認できるので、演出効果を高めることが可能になる。
【００１５】
また、前面枠には、延出部の前方側に前方側演出部が設けられており、前面枠透明部を通じて前方側演出部が視認可能に設けられていると、窓部を通じた後方側演出部の演出に加えて前面枠透明部を通じた前方側演出部による演出が行えるので、演出領域が奥行き方向前後に拡大し、立体感のある遊技者の興趣の尽きない演出が可能になる。
【００１６】
また、前方側演出部と後方側演出部が一体的に関連付けられた演出、例えば装飾体どうしや装飾体と可動体の前後の組み合わせにより平面的若しくは立体的若しくは平面的かつ立体的に関連付けられた演出を行なうことにより、奥行き感や一体感のある演出効果が得られる。
【発明を実施するための最良の形態】
【００１７】
以下、本発明の実施形態について図面を参照しながら具体的に説明する。
図１及び図２を参照して本実施形態に係る遊技機の概略構成について説明する。本実施例としては、遊技機の一例としてパチンコ機について説明するものとする。
先ずパチンコ機１の概略構成について説明する。図１において、パチンコ機１の外形をなす外枠２に対してヒンジ４により内枠３（図２参照）が開閉可能に取り付けられ、該内枠３に対して前面を覆うように前面枠５が開閉可能に取り付けられている。
【００１８】
図１において、内枠３の前面側には遊技盤６が設けられると共に該遊技盤６の下方には遊技領域Ｙへ向かって遊技球を発射する発射装置（図示せず）が組み付けられている。また、遊技盤６の中央部には、図柄表示装置（液晶表示装置）７が設けられている。その周囲にはセンター役物８や遊技領域内装飾部（装飾シール，図柄模様等）２１が設けられている。図２において、遊技盤６の背面側には盤裏カバー１９が設けられている。また、内枠３の背面側には球貯留タンク２０が設けられている。
【００１９】
また、前面枠５には窓部１０が設けられており、窓部１０の下部には貸球や賞球等の遊技球を一時的に貯留し、該遊技球を発射装置へ誘導する球受け皿１５が一体に組み付けられている。球受け皿１５の右側には、発射装置によって遊技領域Ｙへ発射される遊技球の発射力を調節するための発射ハンドル１６が設けられている。
【００２０】
また、図１において、前面枠５の背面側には窓部１０を覆う透明板１７が組み付けられており、該透明板１７を介して遊技領域Ｙを視認することができる。前面枠５の背面側には窓部１０を覆う透明板１７が組み付けられている。この透明板１７としては、複層ガラス、複層アクリル板などの透明複層板が用いられる。また、透明板１７の上縁部は、窓部１０の外側であって前面枠５の外形をなす上縁部５ａ近傍まで延出した延出部１７ａが形成されている。即ち、透明板１７の前面枠５に対する固定部は、前面枠５の上縁部５ａの近傍となる。
【００２１】
したがって、窓部１０を塞ぐ透明板１７の隙間を利用した不正行為を行い難くなる。また、前面枠５の背面側に設けられる透明板１７が覆う領域が前面枠周辺部まで広がるので、板金による補強部材は不要になり前面枠５を軽量化でき、耐久性も向上する。また、前面枠５の透明板固定部に施していた目隠し部（めっき加工、シール）が不要になるため、製造工程も簡略化できる。
【００２２】
また、図３において、前面枠５の窓部１０の周囲には、前面枠カバー１１が設けられている。前面枠カバー１１の上部は、窓部１０に連続して延出部１７ａと重なり合う前面枠透明部１８が設けられている。この前面枠透明部１８に覆われた透明領域には、前方側演出部１３やその両側にスピーカ１４などが設けられている。前方側演出部１３は前面枠透明部１８を通じて視認される。前面枠透明部１８としては、アクリル樹脂材やポリカーボネイト樹脂材などの光透過性の樹脂材が好適に用いられる。
【００２３】
また、前方側演出部１３の背面側には、延出部１７ａを挟んで後方側演出部９が配置されている。後方側演出部９は、前面枠透明部１８を通じて視認される前方側演出部１３並びにこれと重なり合う延出部１７ａを通じて視認され、平面的若しくは立体的に或いは平面的かつ立体的に関連付けされた模様として一体に視認可能になっている。このように、前面枠透明部１８と延出部１７ａを介して後方側演出部９が視認できるので、当該後方側演出部９を窓部１０より外側に配置して演出領域を拡大することができる。
【００２４】
前方側演出部１３としては、発光体や可動体など様々なものが設けられる。図１及び図２において、前方側演出部１３は、延出部１７ａの前方側に当該延出部１７ａを跨いで配置され、左右のスピーカ１４の対向する側面（図示せず）間に架設されている。また、後方側演出部９としては、図２に示すＬＥＤ９ｄが実装された発光基板９ｃが設けられている。図３に示す発光基板９ｃに設けられたＬＥＤ９ｄは、遊技盤６ないしは内枠３に設けられる後方側装飾部９ｂに対応して設けられている。
【００２５】
図３において、パチンコ機１を正面視すると前面枠透明部１８及び延出部１７ａを通じて視認される後方側装飾部９ｂは、窓部１０を通じて視認される遊技領域内装飾部２１と正面視して連続模様になるように形成されている。また、遊技状態に応じて発光基板９ｃのＬＥＤ９ｄを点灯すると、延出部１７ａを透過して前方側演出部１３を光らせことができる。よって、前方演出部１３と後方側演出部９とが関連付けられた演出を行なうことができ、演出領域が窓部１０の外側でかつ奥行き方向前後に拡大し、立体感のある演出が可能になる。
【００２６】
また、図１に示すようにパチンコ機１の前面より窓部１０を介して視認できる遊技領域内装飾部２１と前面枠透明部１８及び延出部１７ａを通じて窓部１０の外側に視認できる後方側装飾部９ｂとが関連付けされた模様として一体的に視認されるため、遊技領域の拡大と共に演出領域を拡大して演出効果を高めることができる。また、後方側演出部９と前方側演出部１３の発光表示とが重なりあって奥行き感や一体感のある演出効果が得られる。
【００２７】
図４は、前方側演出部と後方側演出部が一体的に関連付けられた演出を行なう場合を例示した上部断面図である。図４において、前方側演出部１３ａ（花と茎と葉）と後方側演出部１３ｂ（茎と葉）とは延出部１７ａを介して前面枠５側と内枠３側とで分離して設けられている。前方側演出部１３ａは、延出部１７ａの固定部（上端部）から吊下げ支持されている。前面枠透明部１８を通じて視認される前方側演出部１３ａ及びこれと重なり合う延出部１７ａを通じて視認される後方側演出部１３ｂは平面的かつ立体的に有機的に関連付けられて正面視で一つの植物（草花）として一体に視認できる。このように、奥行き感や一体感のみならず変化に富んだ遊技者の興趣の尽きない演出が行なえる。
【００２８】
透明板１７のサイズを拡大した他例について図５及び図６に例示する。
図５は、前面枠５の背面側に組み付けられる透明板１７を前面枠５の上縁部５ａのみならず左右縁部５ｂ，５ｃ近傍まで拡大したものである。図６において、透明板１７（延出部１７ａ）は、前面枠５の左右両側に設けられた板金５ｆ、５ｇに固定されており、板金５ｆ，５ｇの前面側には側面部５ｄ，５ｅが対向するように各々組み付けられている。前方側演出部１３は、延出部１７ａの前方側に当該延出部１７ａを跨いで配置され、上記側面部５ｄ，５ｅ間に架設されている。
図５において、透明板１７の拡大にともなってスピーカ１４は前面枠カバー１１に覆われた領域のうち下部左隅に配置されている。また、透明板１７の前方に設けられる前方側演出部１３も大型化して前面枠５の左右両縁部５ｂ，５ｃ近傍に渡って設けられている。図５では、透明板１７の上縁部１７ｄのみならず左縁部１７ｂ及び右縁部１７ｃが前面枠５の上縁部５ａ，左縁部５ｂ，右縁部５ｃ近傍領域まで拡大されている。即ち、透明板１７の前面枠５に対する固定部は、前面枠５の上縁部５ａ，左縁部５ｂ，右縁部５ｃの近傍となる。
【００２９】
したがって、窓部１０を塞ぐ透明板１７の隙間を利用した不正行為を一層行い難くなる。また、前面枠５の背面側に設けられる透明板１７が前面枠外縁部まで覆うので、板金による補強部材は不要になり前面枠５を軽量化でき、装置の耐久性も向上する。また、前面枠５の透明板固定部に施していた目隠し部（めっき加工、シール）が不要になるため、製造工程も簡略化できる。
【００３０】
図６において前方側演出部１３を覆う前面枠透明部１８も前面枠５の左右縁部５ｂ，５ｃを覆うように領域が拡大されている。また、遊技盤６の前面に設けられる、発光基板９ｃも当該遊技盤６の左右両端近傍まで拡大されて設けられる。
【００３１】
図７において、前面枠透明部１８と延出部１７ａを介して視認できる領域が広がるので、後方側装飾部９ｂの設置面積を大きく配置することができ、遊技領域内装飾部２１と後方側装飾部９ｂとが関連付けられて一体的に視認できるようになるので、演出領域が拡大されて演出効果が高められる点は、図３と同様である。
【００３２】
遊技状態に応じて発光基板９ｃのＬＥＤ９ｄを点灯すると、窓部１０を介して視認できる遊技領域内装飾部２１と前面枠透明部１８を通じて視認できる後方側装飾部９ｂが連続して一体的に視認されるため、窓部１０より外側でかつ奥行き方向に演出領域が拡大し更なる演出効果の向上が期待できる。また、後方側演出部９と前方側演出部１３の発光表示とが重なりあって装飾変化に富んだ奥行き感のある重畳的な演出効果が得られる。
【００３３】
上述した前方側演出部及び後方側演出部は、静止した装飾体どうしの組み合わせを用いたが、可動体どうしの組み合わせや、静止した装飾体と可動体との組み合わせのいずれでもよい。
また、遊技機の一例としてパチンコ機について説明したが、他の遊技機、例えば雀球遊技機やアレンジボール遊技機などに適用してもよい。
【図面の簡単な説明】
【００３４】
【図１】パチンコ機の正面図である。
【図２】図１のパチンコ機の上部縦断面図である。
【図３】図１のパチンコ機の前面枠装飾部の発光状態を示す正面拡大図である。
【図４】他例に係るパチンコ機の上部縦断面図である。
【図５】他例に係るパチンコ機の正面図である。
【図６】図５のパチンコ機の上部水平断面図である。
【図７】図５のパチンコ機の前面枠装飾部の発光状態を示す正面拡大図である。
【符号の説明】
【００３５】
１  パチンコ機  
２  外枠
３  内枠  
４  ヒンジ
５  前面枠  
５ａ，１７ｄ  上縁部  
５ｂ，１７ｂ  左縁部  
５ｃ，１７ｃ  右縁部  
５ｄ，５ｅ  側面部
５ｆ，５ｇ  板金
６  遊技盤  
Ｙ  遊技領域  
７  図柄表示装置  
８  センター役物  
９，１３ｂ  後方側演出部  
９ｂ  後方側装飾部
９ｃ  発光基板  
９ｄ  ＬＥＤ  
１０  窓部  
１１  前面枠カバー  
１３，１３ａ  前方側演出部  
１４  スピーカ  
１５  球受け皿  
１６  発射ハンドル  
１７  透明板  
１７ａ  延出部
１８  前面枠透明部  
１９  盤裏カバー
２０  球貯留タンク
２１  遊技領域内装飾部
【図１】
2010099190.tif 000003
【図２】
2010099190.tif 000004
【図３】
2010099190.tif 000005
【図４】
2010099190.tif 000006
【図５】
2010099190.tif 000007
【図６】
2010099190.tif 000008
【図７】
2010099190.tif 000009